(57)【要約】【課題】戸体の戸尻側框と召合せ方立とのあいだの防火性能の向上を図るとともに、意匠性の向上、施工性の向上を図る。【解決手段】戸体４の戸尻側框９および召合せ方立３に、鋼材で形成される戸体煙返し部材２６、方立煙返し部材３５を、戸尻側框９、召合せ方立３の縦方向全長に亘って取付けるとともに、これら戸体煙返し部材２６、方立煙返し部材３５を、取付片部２６ａ、３５ａと煙返し片部２６ｂ、３５ｂとからなるＬ字形状のものとする一方、戸体煙返し部材２６、方立煙返し部材３５と同形状をしていて戸体煙返し部材２６、方立煙返し部材３５を外方側から覆う化粧板２８、３６を設けた。【選択図】図３
2020070656.tif 000002
【特許請求の範囲】
【請求項１】
左右方向にスライド移動して開口部を開閉する戸体と、開口部の左右何れか一方側に立設され、戸体が開口部を閉鎖した状態で戸体の戸尻側框と見込み方向に重なり合う召合せ方立とを備えた引戸装置において、
前記戸体の戸尻側框および召合せ方立に、戸尻側框、召合せ方立の素材よりも融点の高い鋼材で形成される戸体煙返し部材、方立煙返し部材を、戸尻側框、召合せ方立の縦方向全長に亘って取付けたことを特徴とする引戸装置の防火構造。
【請求項２】
請求項１において、戸体煙返し部材、方立煙返し部材は、見込み方向を向き、戸尻側框、召合せ方立の見込み面部に取付けられる取付片部と、該取付片部の先端部から見付け方向に折曲形成され、戸体の閉鎖状態において互いに齟齬状態となって見込み方向にオーバーラップする煙返し片部とからなるＬ字形状のものであることを特徴とする引戸装置の防火構造。
【請求項３】
請求項１または２において、戸体煙返し部材、方立煙返し部材と同形状をしていて該戸体煙返し部材、方立煙返し部材を外方側から覆う化粧板を設けたことを特徴とする引戸装置の防火構造。
【請求項４】
請求項２または３において、戸尻側框および召合せ方立の内部には、戸体煙返し部材および方立煙返し部材の煙返し片部と見込み方向にオーバーラップする状態で、鋼材からなる補強材が設けられていることを特徴とする引戸装置の防火構造。
【請求項５】
請求項１乃至４の何れか一項において、召合せ方立は、反開口部側半部に、戸体が開口部を開放した状態で戸体と見込み方向に重なり合う壁面を支持する壁面支持部を備えた本体部が形成され、開口部側半部に、本体部よりも戸体側に突出する突出部分を有した中空状の電装品収納部が形成される一方、電装品収納部突出部分の反開口部側見込み面部に方立煙返し部材を取付けたことを特徴とする引戸装置の防火構造。
【請求項６】
請求項５において、方立煙返し部材および該方立煙返し部材を覆う化粧板は、方立煙返し部材の煙返し片部を覆う化粧板の煙返し片覆蓋部が電装品収納部突出部分の見付け面部と面一状となる状態で、方立煙返し部材の取付片部および該取付片部を覆う化粧板の取付片覆蓋部が電装品収納部突出部分の反開口部側見込み面部に取付けられることを特徴とする引戸装置の防火構造。
【発明の詳細な説明】
【技術分野】
【０００１】
本発明は、左右方向にスライド移動して開口部を開閉する戸体を備えた引戸装置の防火構造に関するものである。
【背景技術】
【０００２】
一般に、左右方向にスライド移動して開口部を開閉する戸体と、開口部の左右何れか一方側に立設され、戸体が開口部を閉鎖した状態で戸体の戸尻側框に見込み方向に重なり合う召合せ方立とを備えた引戸装置が知られている。このような引戸装置において、戸体の戸尻側框と召合せ方立との間の防火構造として、戸尻側框および召合せ方立に、戸体の閉鎖状態において互いに齟齬状態となって見付け方向にオーバーラップする煙返し片を設けたものが、従来から知られている（例えば、特許文献１参照。）。
ところで、戸体の框や召合せ方立を形成する素材としてはアルミニウム材が広く用いられているが、アルミニウム材は、火災時等において高温に晒されると変形してしまうことがあり、このため、前記戸尻側框や召合せ方立に設けられる煙返し片もアルミニウム材で形成されていると、熱による変形で防火機能が損なわれてしまう惧れがある。尚、前記特許文献１のものでは、煙返し部における隙間を、火災時等に加熱により膨張する加熱発泡材で埋める技術が開示されているが、煙返し自体が熱により変形してしまったような場合には、このような加熱発泡材だけでは対応しきれないことがある。
そこで従来、戸体の戸尻側框に形成される煙返し部に、アルミニウム材よりも融点の高いステンレス製の補強材を設けた技術が知られている（例えば、特許文献２参照。）。
【先行技術文献】
【特許文献】
【０００３】
【特許文献１】特許第６１５４３４１号公報
【特許文献２】特許第６３２５２３０号公報
【発明の概要】
【発明が解決しようとする課題】
【０００４】
しかしながら、前記特許文献２のものでは、ステンレス製の補強材は、戸体の戸尻側框の煙返し片（屈曲片）を補強するように設けられているものの、召合せ方立の煙返し片（屈曲片）を補強するようには設けられていない。このため、火災時等に、召合せ方立の煙返し片が熱により変形してしまうと、戸体の戸尻側框の煙返し片だけでは煙や熱の遮断を確実に行うことができず、防火機能が損なわれてしまうという問題がある。
また、ステンレス製の補強板は、意匠性向上のために外部から視認できないように設けることが要求される場合があり、このため前記特許文献２のものでは、戸尻側框（召合せ框枠）の内部側にステンレス製補強材が組み込まれていて、ステンレス製補強材が外部から視認できないように構成されている。しかしながら特許文献２のものは、ステンレス製補強材を戸尻側框（召合せ框枠）の内部側に組み込むにあたり、戸尻側框とは別部材である召合せ補助材を必要とし、しかも、戸尻側框自体もステンレス製補強材との止着部をカバーするために二つ部材を用いて形成している。このため、部材点数が多く施工に手間がかかるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、左右方向にスライド移動して開口部を開閉する戸体と、開口部の左右何れか一方側に立設され、戸体が開口部を閉鎖した状態で戸体の戸尻側框と見込み方向に重なり合う召合せ方立とを備えた引戸装置において、前記戸体の戸尻側框および召合せ方立に、戸尻側框、召合せ方立の素材よりも融点の高い鋼材で形成される戸体煙返し部材、方立煙返し部材を、戸尻側框、召合せ方立の縦方向全長に亘って取付けたことを特徴とする引戸装置の防火構造である。
請求項２の発明は、請求項１において、戸体煙返し部材、方立煙返し部材は、見込み方向を向き、戸尻側框、召合せ方立の見込み面部に取付けられる取付片部と、該取付片部の先端部から見付け方向に折曲形成され、戸体の閉鎖状態において互いに齟齬状態となって見込み方向にオーバーラップする煙返し片部とからなるＬ字形状のものであることを特徴とする引戸装置の防火構造である。
請求項３の発明は、請求項１または２において、戸体煙返し部材、方立煙返し部材と同形状をしていて該戸体煙返し部材、方立煙返し部材を外方側から覆う化粧板を設けたことを特徴とする引戸装置の防火構造である。
請求項４の発明は、請求項２または３において、戸尻側框および召合せ方立の内部には、戸体煙返し部材および方立煙返し部材の煙返し片部と見込み方向にオーバーラップする状態で、鋼材からなる補強材が設けられていることを特徴とする引戸装置の防火構造である。
請求項５の発明は、請求項１乃至４の何れか一項において、召合せ方立は、反開口部側半部に、戸体が開口部を開放した状態で戸体と見込み方向に重なり合う壁面を支持する壁面支持部を備えた本体部が形成され、開口部側半部に、本体部よりも戸体側に突出する突出部分を有した中空状の電装品収納部が形成される一方、電装品収納部突出部分の反開口部側見込み面部に方立煙返し部材を取付けたことを特徴とする引戸装置の防火構造である。
請求項６の発明は、請求項５において、方立煙返し部材および該方立煙返し部材を覆う化粧板は、方立煙返し部材の煙返し片部を覆う化粧板の煙返し片覆蓋部が電装品収納部突出部分の見付け面部と面一状となる状態で、方立煙返し部材の取付片部および該取付片部を覆う化粧板の取付片覆蓋部が電装品収納部突出部分の反開口部側見込み面部に取付けられることを特徴とする引戸装置の防火構造である。
【発明の効果】
【０００６】
請求項１の発明とすることにより、高い防火性能を発揮できる。
請求項２の発明とすることにより、戸体煙返し部材、方立煙返し部材の形状、構造が簡単であって、施工性に優れる。
請求項３の発明とすることにより、戸体煙返し部材、方立煙返し部材を覆う化粧板の形状、構造が簡単であって、施工性に優れる。
請求項４の発明とすることにより、さらなる防火性能の向上に貢献できる。
請求項５の発明とすることにより、方立煙返し部材を、召合せ方立に設けられる電装品収納部の突出部分を利用して取り付けることができる。
請求項６の発明とすることにより、方立煙返し部材および該方立煙返し部材を覆う化粧板を、召合せ方立に設けられる電装品収納部の突出部分を利用して、意匠性に優れた状態で取付けることができる。
【図面の簡単な説明】
【０００７】
【図１】引戸装置の正面図である。
【図２】図１のＸ−Ｘ断面図である。
【図３】図１のＹ−Ｙ断面図である。
【図４】図３の要部拡大図である。
【０００８】
以下、本発明の実施の形態について、図面に基づいて説明する。図において、１は本発明の防火構造が実施された引戸装置であって、該引戸装置１は、上枠２ａおよび左右の縦枠２ｂ、２ｃを備えた枠体２、該枠体２の左右方向中間部に立設される召合せ方立３、該召合せ方立３と左右何れか一方の縦枠（本実施の形態では、図１、３において右側の縦枠）２ｃとのあいだに設けられる開口部Ｓ、枠体２内に組み込まれ、左右にスライド移動して開口部Ｓを開閉する戸体４、召合せ方立３と左右何れか他方の縦枠（本実施の形態では、図１、３において左側の縦枠）２ｂとのあいだに設けられ、戸体４が開口部Ｓを開放した状態で戸体４と見込み方向に重なり合うＦＩＸ部５等を用いて形成されている。尚、前記左右何れか一方の縦枠は、戸体４の戸先側に位置する縦枠であり、左右何れか他方の縦枠は、戸体４の戸尻側に位置する縦枠であるため、以降、左右何れか一方の縦枠を戸先側縦枠２ｃと称し、左右何れか他方の縦枠を戸尻側縦枠２ｂと称する。また、本実施の形態では、戸体４はＦＩＸ部５の室内側に位置するように設けられており、以下、戸体４が位置している側を室内側、ＦＩＸ部５が位置している側を室外側として説明するが、便宜上のものであってこれに限定されるものではない。また、本実施の形態の説明における室内外方向は、本発明の見込み方向に相当する。さらに、召合せ方立３の開口部Ｓ側は戸体４にとっては戸先側であり、召合せ方立３の反開口部Ｓ側は戸体４にとっては戸尻側であるため、以下の説明では、便宜上、召合せ方立３の開口部Ｓ側、反開口部Ｓ側をそれぞれ戸先側、戸尻側とする。
【０００９】
前記戸体４は、自動式吊戸であって、アルミニウム材からなる上框６、下框７、戸先側框８、および戸尻側框９により四周枠組形成される框体内に、耐熱ガラス等からなるパネル体（本実施の形態では、網入りの透明ガラスから形成されている）１０を嵌め込んで形成されるものである。上框６の下部には、パネル体１０の上縁部がシーリング固定される一方、上框６の上部には、ドアハンガー１２を介してハンガーローラ１３が支持されている。該ハンガーローラ１３は、上枠２ａ内に配設された左右方向長尺のハンガーレール１４に左右方向転動自在にガイドされるようになっており、さらに上枠２ａ内には、戸体４を左右移動させるための駆動装置１５が配設されている。そして、戸体４は、ハンガーレール１４に吊り下げられた状態で、駆動装置１５の駆動に基づき左右方向にスライド移動して開口部Ｓを開閉するようになっている。
【００１０】
また、戸体４の下框７の上部には、パネル体１０の下縁部がシーリング固定される一方、下框７の下部には、下方に突出する振れ止め体１６が取付けられている。該振れ止め体１６は、左右の縦枠２ｂ、２ｃの下端部間に敷設されたガイドレール１７に形成のガイド溝１７ａに方向移動自在にガイドされるようになっており、これにより、スライド移動時における戸体４の下部の室内外方向の振れを抑止できるようになっている。
【００１１】
また、戸体４の戸先側框８は、その戸尻側端部に、パネル体１０の右側縁部をシーリング固定するための室内側、室外側の押縁１８、１９が装着される一方、戸先側框８の戸先側端部には、戸先側アダプター２０が取付けられている。該戸先側アダプター２０は、先端側が先細の台形状をしており、取付けられた戸先側框８の戸先先端よりも戸先方向に突出している。一方、戸先側縦枠２ｃには、上下方向に亘って凹溝部２ｆが形成されており、戸体４の閉鎖時に該凹溝部２ｆに戸先側アダプター２０が入り込むことで、戸体４の戸先側端部と戸先側縦枠２ｃとの間に隙間が生じない防火構造となっている。尚、図中、２０ａは戸先側アダプター２０に装着される緩衝材、２１は戸先側框８に内装される鋼材からなる補強材である。
【００１２】
また、戸体４の戸尻側框９は、戸先側見込み面部２２ａ、戸尻側見込み面部２２ｂ、室内側見付け面部２２ｃ、および室外側見付け面部２２ｄにより形成される矩形中空状の本体部２２と、該本体部２２の戸尻側見込み面部２２ｂから室外側（召合せ方立３側）に向けて延設される煙返し支持部２３とを備えて形成されている。本体部２２の戸先側見込み面部２２ａには、パネル体１０の左側縁部をシーリング固定するための室内側、室外側の押縁２４、２５が装着される。また、本体部２２の戸尻側見込み面部２２ｂの室内側端部には、後述する化粧板２８が係止する係止受部２２ｅが形成されている。
【００１３】
前記戸尻側框９の煙返し支持部２３は、本体部２２の戸尻側見込み面部２２ｂから室外側に向けて直線状に延びる取付片支持部２３ａと、該取付片支持部２３ａの先端部から室外側戸先方向に向けて斜めに延びる面取り部２３ｂと、該面取り部２３ｂの先端部から戸先方向に延びる煙返し片支持部２３ｃとから形成されている。
【００１４】
一方、２６は鋼材からなる戸体煙返し部材であって、該戸体煙返し部材２６は、見込み方向を向き、戸尻側框９の本体部２２の戸尻側見込み面部２２ｂに取付けられる取付片部２６ａと、該取付片部２６ａの先端部（召合せ方立３側端部）から戸先方向に向けて折曲形成されて見付け方向に延びる煙返し片部２６ｂとからなるＬ字形状のものであり、戸尻側框９の縦方向略全長に亘って設けられる。この場合に戸体煙返し部材２６は、取付片部２６ａが戸尻側框９の本体部２２の戸尻側見込み面部２２ｂおよび煙返し支持部２３の取付片支持部２３ａに外方側から面接触状態で当接し、かつ、煙返し片部２６ｂが煙返し支持部２３の煙返し片支持部２３ｃに外方側から面接触状態で当接する状態で、取付片部２６ａから挿入されて本体部２２の戸尻側見込み面部２２ｂに螺入される螺子２７を介して、戸尻側框９に止着されるようになっている。
【００１５】
さらに、２８は前記戸体煙返し部材２６を外方側から覆う化粧板であって、該化粧板２８はアルミニウム材からなり、戸体煙返し部材２６の取付片部２６ａ、煙返し片部２６ｂをそれぞれ外方側から覆う取付片覆蓋部２８ａ、煙返し片覆蓋部２８ｂを備えた、戸体煙返し部材２６と同形状のＬ字形状のものである。取付片覆蓋部２８ａの室内側端部には、前記戸尻側框９の本体部戸尻側見込み面部２２ｂに形成の係止受部２２ｅに係止する係止部２８ｃが形成されており、また、煙返し片覆蓋部２８ｂの先端部には、戸体煙返し部材２６の煙返し片部２６ｂの先端部を覆う先端覆蓋部２８ｄが形成されている。そして、化粧板２８は、取付片覆蓋部２８ａ、煙返し片覆蓋部２８ｂが戸体煙返し部材２６の取付片部２６ａ、煙返し片部２６ｂをそれぞれ外方側から覆い、かつ、係止部２８ｃが戸尻側框９の係止受部２２ｅに係止し、さらに先端覆蓋部２８ｄが煙返し片部２６ｂの先端部を覆う状態で、煙返し片覆蓋部２８ｂ側から挿入され煙返し片部２６ｂを貫通して煙返し支持部２３の煙返し片支持部２３ｃに螺入される螺子２９を介して、戸体煙返し部材２６および戸尻側框９に止着されるようになっている。
【００１６】
さらに、３０は戸尻側框９の本体部２２に内装される鋼材からなる補強材であって、該補強材３０は、本体部２２の戸先側見込み面部２２ａ、室内側見付け面部２２ｃ、室外側見付け面部２２ｄにそれぞれ内方側から対向する戸先側見込み面部３０ａ、室内側見付け面部３０ｂ、室外側見付け面部３０ｃを有したコ字形状のものであり、本体部２２の縦方向全長に亘る状態で設けられるが、該補強材３０の室内側見付け面部３０ｂおよび室外側見付け面部３０ｃは、前記戸体煙返し部材２６の煙返し片部２６ｂと見込み方向にオーバーラップする状態となるように設けられている。尚、戸尻側框９に内装される補強材３０および前記戸先側框８に内装される補強材２１は、戸尻側框９、戸先側框８に上框６および下框７を組み付けるための螺子３１を介して、上框６および下框７に止着される。
【００１７】
一方、前記召合せ方立３は、アルミニウム材から形成されるものであって、戸尻側半部（反開口部Ｓ側半部）に、ＦＩＸ部５を構成するＦＩＸパネル（本発明の壁面に相当するが、本実施の形態では、網入りの透明ガラスから形成されている）５ａの右側縁部が嵌合されてシーリング固定されるパネル支持部３２ａ（本発明の壁面支持部に相当する）を備えた本体部３２が形成され、戸先側半部（開口部Ｓ側半部）に、開口部Ｓにおける障害物検知のためのセンサ等の電装品３４が内装される電装品収納部３３が形成されている。本体部３２は、戸尻側見込み面部（反開口部側見込み面部）３２ｂと、本体部３２と電装品収納部３３とを仕切る中間見込み面部３２ｃと、室内側見付け面部３２ｄおよび室外側見付け面部３２ｅとにより矩形中空状に形成されるとともに、戸尻側見込み面部３２ｂから室内側見付け面部３２ｄに亘る状態で、前記パネル支持部３２ａが形成されている。また、電装品収納部３３は、本体部３２よりも戸体４側に段差状に突出する突出部分３３ａを有しており、前記中間見込み面部３２ｃと、該中間見込み面部３２ｃから戸体４側に向けて延設される突出部分戸尻側見込み面部（本発明の電装品突出部分の反開口部側見込み面部に相当する）３３ｂと、戸先側見込み面部（開口部側見込み面部）３３ｃと、本体部３２の室内側見付け面部３２ｄよりも戸体４側に突出する突出部分見付け面部（本発明の電装品収納部突出部分の見付け面部に相当する）３３ｄと、本体部３２の室外側見付け面部３２ｅと面一状となる室外側見付け面部３３ｅとにより矩形中空状に形成されている。そして、電装品収納部３３の戸先側見込み面部３３ｃには、電装品３４が取付けられる開口３３ｆが形成されており、また、前記中間見込み面部３２ｃと突出部分戸尻側見込み面部３３ｂとの間には、後述する方立煙返し部材３５および該方立煙返し部材３５を覆う化粧板３６が係止するポケット状の係止溝３３ｇが形成されている。
【００１８】
前記方立煙返し部材３５は、鋼材からなり、見込み方向を向き、召合せ方立３の電装品収納部３３の突出部分戸尻側見込み面部３３ｂに取付けられる取付片部３５ａと、該取付片部３５ａの先端部（戸体４側端部）から戸尻方向に向けて折曲形成されて見付け方向に延びる煙返し片部３５ｂとからなるＬ字形状のものであって、召合せ方立３の縦方向全長に亘って設けられる。該方立煙返し部材３５の煙返し片部３５ｂは、戸尻側框９の本体部室外側見付け面部２２ｄと戸体煙返し部材２６の煙返し片部２６ｂとの見込み方向中間位置に位置し、また、戸体煙返し部材２６の煙返し片部２６ｂは、召合せ方立３の本体部室内側見付け面部３２ｄと方立煙返し部材３５の煙返し片部３５ｂとの見込み方向中間位置に位置するように設計されており、これにより戸体煙返し部材２６、方立煙返し部材３５の煙返し片部２６ｂ、３５ｂ同士は、戸体４の閉鎖状態において互いに齟齬状態となって見込み方向にオーバーラップして屈曲路を形成するように構成されている。
【００１９】
さらに、３６は前記方立煙返し部材３５を外方側から覆う化粧板であって、該化粧板３６はアルミニウム材からなり、方立煙返し部材３５の取付片部３５ａ、煙返し片部３５ｂをそれぞれ外方側から覆う取付片覆蓋部３６ａ、煙返し片覆蓋部３６ｂを備えた、方立煙返し部材３５と同形状のＬ字形状のものである。煙返し片覆蓋部３６ｂの先端部には、方立煙返し部材３５の煙返し片部３５ｂの先端部を覆う先端覆蓋部３６ｃが形成されている。そして、方立煙返し部材３５および化粧板３６は、化粧板３６の取付片覆蓋部３６ａ、煙返し片覆蓋部３６ｂが方立煙返し部材３５の取付片部３５ａ、煙返し片部３５ｂをそれぞれ外方側から覆い、かつ、化粧板３６の先端覆蓋部３６ｃが煙返し片部３５ｂの先端部を覆う状態で、化粧板３６の取付片覆蓋部３６ａを召合せ方立３の電装品収納部３３の突出部分戸尻側見込み面部３３ｂに当接させるとともに、化粧板３６の取付片覆蓋部３６ａおよび方立煙返し部材３５の取付片部３５ａの室外側端部を、召合せ方立３の中間見込み面部３２ｃと突出部分戸尻側見込み面部３３ｂとの間の係止溝３３ｇに係止させ、この状態で、方立煙返し部材３５の取付片部３５ａ側から挿入されて化粧板３６の取付片覆蓋部３６ａを貫通して召合せ方立３の突出部分戸尻側見込み面部３３ｂに螺入される螺子３７により、召合せ方立３に止着される。そして、該方立煙返し部材３５および化粧板３６が召合せ方立３に止着された状態で、化粧板３６の煙返し片覆蓋部３６ｂが電装品収納部３３の突出部分見付け面部３３ｄと面一状となるように構成されている。
【００２０】
さらに、３８は召合せ方立３の本体部３２に内装される鋼材からなる補強材であって、該補強材３８は、本体部３２の中間見込み面部３２ｃ、室内側見付け面部３２ｄ、室外側見付け面部３２ｅにそれぞれ対向する戸先側見込み面部３８ａ、室内側見付け面部３８ｂ、室外側見付け面部３８ｃを有したコ字形状のものであり、本体部３２の縦方向全長に亘る状態で設けられるが、該補強材３８の室内側見付け面部３８ｂおよび室外側見付け面部３８ｃは、前記方立煙返し部材３５の煙返し片部３５ｂと見込み方向にオーバーラップする状態となるように設けられている。これにより、召合せ方立３に内装される補強材３８、方立煙返し部材３５の煙返し片部３５ｂ、および前述した戸体煙返し部材２６の煙返し片部２６ｂ、戸尻側框９に内装される補強材３０は、すべて互いに見込み方向にオーバーラップする状態となっている。尚、召合せ方立３に内装される補強材３８は、電装品収納部３３の戸先側見込み面部３３ｃに形成の開口３３ｆから電装品収納部３３内に挿入される螺子３９を介して、中間見込み面部３２ｃに止着されるようになっている。
【００２１】
叙述の如く構成された本発明の実施の形態において、戸体４の戸尻側框９および召合せ方立３には、これら戸尻側框９、召合せ方立３の素材（アルミニウム材）よりも融点の高い鋼材で形成される戸体煙返し部材２６、方立煙返し部材３５が、戸尻側框９、召合せ方立３の縦方向全長に亘って取付けられることになるが、これら戸体煙返し部材２６、方立煙返し部材３５は、見込み方向を向き、戸尻側框９、召合せ方立３の見込み面部（戸尻側框９の本体部２２の戸尻側見込み面部２２ｂ、召合せ方立３の電装品収納部３３の突出部分戸尻側見込み面部３３ｂ）に取付けられる取付片部２６ａ、３５ａと、該取付片部２６ａ、３５ａの先端部から見付け方向に折曲形成され、戸体４の閉鎖状態において互いに齟齬状態となって見込み方向にオーバーラップする煙返し片部２６ｂ、３５ｂとからなるＬ字形状のものであり、さらに、これら戸体煙返し部材２６、方立煙返し部材３５は、該戸体煙返し部材２６、方立煙返し部材３５と同形状をした化粧板２８、３６によって外方側から覆われることになる。
【００２２】
このように、本実施の形態にあっては、鋼材からなる戸体煙返し部材２６、方立煙返し部材３５が、戸尻側框９、召合せ方立３の縦方向全長に亘って取付けられており、これにより、火災時等において高温に晒されるような場合であっても、戸体煙返し部材２６、方立煙返し部材３５によって召合せ部における室内外方向の煙や熱の遮断を行うことができて、高い防火性能を発揮できることになるが、この場合に、前記戸体煙返し部材２６および方立煙返し部材３５は、取付片部２６ａ、３５ａと煙返し片部２６ｂ、３５ｂとからなるＬ字形状のものであって、形状、構造が簡単であり、さらに、取付片部２６ａ、３５ａを戸尻側框９、召合せ方立３の見込み面部に取付けるだけの簡単な施工で取付けできることになる。しかも、前記戸体煙返し部材２６および方立煙返し部材３５は、化粧板２８、３６によって外方側から覆われており、これによって意匠性向上が図られているが、該化粧板２８、３６も、戸体煙返し部材２６および方立煙返し部材３５と同形状のＬ字形状のものであって、形状、構造が簡単であり、また、同形状であるから戸体煙返し部材２６、方立煙返し部材３５への取付けも容易であって、施工性の向上に貢献できる。
【００２３】
さらにこのものにおいて、戸尻側框９および召合せ方立３の内部には、戸体煙返し部材２６および方立煙返し部材３５の煙返し片部２６ａ、３５ａと見込み方向にオーバーラップする状態で、鋼材からなる補強材３０、３８が設けられている。この結果、戸尻側框９と召合せ方立３との召合せ部においては、鋼材からなる、戸体煙返し部材２６および方立煙返し部材３５の煙返し片部２６ａ、３５ａ、戸尻側框９および召合せ方立３に内装される補強材３０、３８が全て見込み方向にオーバーラップする状態で配されることになって、さらなる防火性能の向上に貢献できる。
【００２４】
さらにこのものにおいて、召合せ方立３は、戸尻側半部（反開口部側半部）に、戸体４が開口部Ｓを開放した状態で戸体４と見込み方向に重なり合うＦＩＸパネル５ａを支持するパネル支持部３２ａを備えた本体部３２が形成され、戸先側半部（開口部側半部）に、本体部３２よりも戸体４側に突出する突出部分３３ａを有した中空状の電装品収納部３３が形成される一方、該電装品収納部３３の突出部分戸尻側見込み面部３３ｂには、方立煙返し部材３５が取付けられることになる。しかもこの場合、方立煙返し部材３５および該方立煙返し部材３５を覆う化粧板３６は、方立煙返し部材３５の煙返し片部３５ｂを覆う化粧板の煙返し片覆蓋部３６ｂが、電装品収納部３３の突出部分見付け面部３３ｄと面一状となる状態で、方立煙返し部材３５の取付片部３５ａおよび該取付片部３５ａを覆う化粧板３６の取付片覆蓋部３６ａが、電装品収納部３３の突出部分戸尻側見込み面部３３ｂに取付けられることになる。これにより、方立煙返し部材３５および化粧板３６を、召合せ方立３に設けられる電装品収納部３３の突出部分３３ａを利用して、方立煙返し部材３５の取付片部３５ａおよび化粧板３６の取付片部覆蓋部３６ｂを召合せ方立３に止着するための止着部材（螺子３７）が開口部Ｓ側に露出することがなく、また、化粧板３６の煙返し片覆蓋部３６ｂが電装品収納部３３の突出部分見付け面部３３ｄと面一状となる、意匠性に優れた状態で取付けできることになる。
【００２５】
尚、本発明は上記実施の形態に限定されないことは勿論であって、上記実施の形態では、戸体が一枚だけ設けられている片開き式の引戸装置を例示したが、これに限定されることなく、例えば両開き式等、戸体が複数設けられている引戸装置であっても、本発明を実施できることは勿論である。また、本実施の形態では、戸体の戸尻側框と召合せ框の煙返し部分に、加熱により膨張する加熱発泡材は設けていないが、必要に応じて加熱発泡材を適宜配設してもよい。
【産業上の利用可能性】
【００２６】
本発明は、引戸装置の防火構造に利用することができる。
【符号の説明】
【００２７】
１  引戸装置
３  召合せ方立
４  戸体
５ａ  ＦＩＸパネル
９  戸尻側框
２２ｂ  戸尻側見込み面部
２６  戸体煙返し部材
２６ａ  取付片部
２６ｂ  煙返し片部
２８  化粧板
３０  補強材
３２  本体部
３２ａ  パネル支持部
３３  電装品収納部
３３ａ  突出部分
３３ｂ  突出部分戸尻側見込み面部
３３ｄ  突出部分見付け面部
３５  方立煙返し部材
３５ａ  取付片部
３５ｂ  煙返し片部
３６  化粧板
３６ａ  取付片覆蓋部
３６ｂ  煙返し片覆蓋部
３８  補強材
【図１】
2020070656.tif 000003
【図２】
2020070656.tif 000004
【図３】
2020070656.tif 000005
【図４】
2020070656.tif 000006